(57)【要約】【課題】チューブ付き光ファイバに曲げを形成して曲げ部からプローブを用いて光を入出力するときに、側圧損失の低減と光の入出力効率の向上を両立可能な光ファイバ側方入出力装置及び曲げ付与方法を提供することを目的とする。【解決手段】本発明に係る光ファイバ側方入出力装置は、チューブ付き光ファイバを曲げて頂点を押しつぶす凸治具に加えて、抑え治具を用いて曲げ頂点の周囲を光ファイバと保護チューブが接触しない程度の押しつぶすことで側圧損失を低減し、かつ保護チューブと凹治具の接触する距離を長くすることで、高い光の入出力効率を得ることとした。【選択図】図４
2019070740.tif 000002
【特許請求の範囲】
【請求項１】
空隙を挟んで保護チューブが心線を覆う構造のチューブ付き光ファイバに対して長手方向に湾曲する凹部、及び曲げが与えられた前記チューブ付き光ファイバの前記心線に対して光を入出力するプローブ光ファイバを保持する保持部を有する第１治具と、
前記チューブ付き光ファイバに形成される前記曲げの頂点となる部分のみに接触する凸部を有する第２治具と、
前記チューブ付き光ファイバのうち、前記チューブ付き光ファイバと前記プローブ光ファイバとの間で入出力する前記光の経路上の領域の前記第１治具と反対側に接触する抑え治具と、
前記第１治具の凹部と前記第２治具の凸部との最近接距離ＳがＳ＞０となるように前記第１治具の凹部と前記第２治具の凸部とが近づく方向に押圧力を印加し、前記チューブ付き光ファイバに前記曲げを形成する第１押圧部と、
前記第１治具の凹部と前記抑え治具との最近接距離ＵがＤ＞Ｕ＞Ｓ（Ｄは押しつぶす前の前記保護チューブの直径）となるように前記第１治具の凹部と前記抑え治具とが近づく方向に押圧力を印加する第２押圧部と、
を備える光ファイバ側方入出力装置。
【請求項２】
前記抑え治具の先端は楔形であり、前記チューブ付き光ファイバに接する面と押圧力の方向と成す角φがφ≦θ／２であることを特徴とする請求項１に記載の光ファイバ側方入出力装置。
ただし、θは、前記第１治具と前記第２治具で前記チューブ付き光ファイバに与えられる曲げ角度である。
【請求項３】
空隙を挟んで保護チューブが心線を覆う構造のチューブ付き光ファイバに対して長手方向に湾曲する凹部、及び曲げが与えられた前記チューブ付き光ファイバの前記心線に対して光を入出力するプローブ光ファイバを保持する保持部を有する第１治具と、
前記チューブ付き光ファイバに形成される前記曲げの頂点となる部分に接触する凸部、及び前記チューブ付き光ファイバのうち、前記チューブ付き光ファイバと前記プローブ光ファイバとの間で入出力する前記光の経路上の領域の前記第１治具と反対側に接触する抑え部を有する第２治具と、
前記第１治具の凹部と前記第２治具の凸部との最近接距離ＳがＳ＞０となるように、且つ前記第１治具の凹部と前記第２治具の抑え部との最近接距離ＵがＤ＞Ｕ＞Ｓ（Ｄは押しつぶす前の前記保護チューブの直径）となるように前記第１治具の凹部と前記第２治具の凸部とが近づく方向に押圧力を印加し、前記チューブ付き光ファイバに前記曲げを形成する押圧部と、
を備える光ファイバ側方入出力装置。
【請求項４】
前記第２治具の抑え部は、前記チューブ付き光ファイバに接する面と押圧力の方向と成す角φがφ≦θ／２であることを特徴とする請求項３に記載の光ファイバ側方入出力装置。
ただし、θは、前記第１治具と前記第２治具で前記チューブ付き光ファイバに与えられる曲げ角度である。
【請求項５】
前記第２治具の前記凸部は、先端形状が円筒の側面の一部であり、前記円筒の母線が前記押圧力が印可される方向と前記チューブ付き光ファイバの長手方向とに垂直であり、
前記円筒の側面の半径ｒは
ｒ≦Ｒ−ｄ−２ｔ
を満たすことを特徴とする請求項１から４のいずれかに記載の光ファイバ側方入出力装置。
ただし、ｄは前記チューブ付き光ファイバの前記心線の直径、ｔは前記チューブの厚み、Ｒは前記第１治具の前記凹部の曲率半径である。
【請求項６】
空隙を挟んで保護チューブが心線を覆う構造のチューブ付き光ファイバに対して長手方向に湾曲する凹部、及び曲げが与えられた前記チューブ付き光ファイバの前記心線に対して光を入出力するプローブ光ファイバを保持する保持部を有する第１治具と、
前記チューブ付き光ファイバに形成される前記曲げの頂点となる部分のみに接触する凸部を有する第２治具と、
を備える光ファイバ側方入出力装置を用いて前記チューブ付き光ファイバに曲げを与える曲げ付与方法であって、
前記第１治具の凹部と前記第２治具の凸部との最近接距離ＳがＳ＞０となるように前記第１治具の凹部と前記第２治具の凸部とが近づく方向に押圧力を印加し、前記チューブ付き光ファイバに前記曲げを形成するとともに、
前記チューブ付き光ファイバのうち、前記チューブ付き光ファイバと前記プローブ光ファイバとの間で入出力する前記光の経路上の領域の前記第１治具と反対側を抑え部で抑え、前記第１治具の凹部と前記抑え部との最近接距離ＵがＤ＞Ｕ＞Ｓ（Ｄは押しつぶす前の前記保護チューブの直径）となるように、前記チューブ付き光ファイバを前記第１治具の凹部に密着させる、
ことを特徴とする曲げ付与方法。
【発明の詳細な説明】
【技術分野】
【０００１】
本開示は、曲げた光ファイバの側方から光を入出力する光ファイバ側方入出力装置及び光ファイバに与える曲げ付与方法に関する。
【背景技術】
【０００２】
保護チューブで覆われた光ファイバ（チューブ付き光ファイバ）に対して、光ファイバを曲げ、曲げ部からプローブを用いて光を入出力する光ファイバ側方入出力装置が提案されている（例えば、非特許文献１を参照。）。
【０００３】
図１は、チューブ付き光ファイバ１０１の断面を説明する図である。チューブ付き光ファイバ１０１は、コア、クラッド及び被覆からなる心線３１の周りを保護チューブ３２が覆っており、心線３１と保護チューブ３２との間には空隙が存在している。
【０００４】
このようなチューブ付き光ファイバを曲げた場合、保護チューブと光ファイバ心線の剛性が異なるため、図２のように均一に曲がらず光ファイバ心線とチューブの間に空隙に偏りが生じる。そして、空隙の存在により、光ファイバ心線のコアからの漏洩光は光ファイバ心線の被覆と空隙との境界面で反射し、光ファイバ心線の外部へ漏洩される光の強度が著しく低下する。
【０００５】
そこで非特許文献１では、チューブ付き光ファイバを曲げたときに空隙がなくなるように保護チューブをつぶす機構を有した側方入出力装置を提案している。図３は、非特許文献１で開示される光ファイバ側方入出力装置を説明する図である。非特許文献１の側方入出力装置は、保護チューブの曲げの頂点だけを押しつぶし、光ファイバ心線と保護チューブ間の空隙をなくし、空隙による漏洩光の光強度の低下を抑制している。また、光ファイバ心線にかかる側圧は曲げの頂点付近だけになるため、側圧による損失が低減され、現用通信への影響が低減される。曲げ開放時と曲げ付与時とを切り替える機能を有し、凹冶具と凸冶具との距離すなわちチューブをつぶす量が所定の量Ｓとなるようになっており、Ｓを適切な量に設定することで低曲げ損失及び高入出力効率が得られる。
【先行技術文献】
【特許文献】
【０００６】
【特許文献１】特開２０１５−１２１４６０号公報
【非特許文献】
【０００７】
【非特許文献１】植松他，“透明チューブで保護された光ファイバ心線への側方光入出力”，  電子情報通信学会ソサイエティ大会，Ｂ−１３−２０，２０１７年９月．
【非特許文献２】Ｔ．  ＵｅｍａｔＳｕ，  ｅｔ．  ａｌ．，“Ｈｉｇｈ−ｅｆｆｉｃｉｅｎｃｙ  ｌｉｇｈｔ  ｉｎｊｅｃｔｉｏｎ  ａｎｄ  ｅｘｔｒａｃｔｉｏｎ  ｕＳｉｎｇ  ｆｉｂｅｒ  ｂｅｎｄｉｎｇ”，  ＯＦＣ，  Ｗ２Ａ．１５，  Ｍａｒ．  ２０１７．
【発明の概要】
【発明が解決しようとする課題】
【０００８】
図３のように、非特許文献１は、チューブの曲げ頂点部分のみを押しつぶし、光ファイバ心線と保護チューブ間の空隙をなくす手法を提案している。このような手法の場合、出力光（曲げファイバからプローブへの漏洩光）および入力光（プローブから曲げファイバへの入力光）が伝搬する経路上における保護チューブと凹冶具との間の領域Ａ（図３の破線で囲まれた部分）の空隙をなくす必要がある。しかし、非特許文献１の手法では、凸治具がチューブ付き光ファイバを押し付ける部分と領域Ａとがずれており、領域Ａにおいて保護チューブと凹冶具との接触が不十分という課題がある。また、特許文献１の手法では曲げ部及び直線部全体を押しつぶすため光ファイバ心線に余分な側圧がかかり損失が増大するという課題があった。
【０００９】
そこで、前記課題を解決するために、本発明は、チューブ付き光ファイバに曲げを形成して曲げ部からプローブを用いて光を入出力するときに、側圧損失の低減と光の入出力効率の向上を両立可能な光ファイバ側方入出力装置及び曲げ付与方法を提供することを目的とする。
【課題を解決するための手段】
【００１０】
上記目的を達成するために、本発明に係る光ファイバ側方入出力装置は、チューブ付き光ファイバを曲げて頂点を押しつぶす凸治具に加えて、抑え治具を用いて曲げ頂点の周囲を光ファイバと保護チューブが接触しない程度の押しつぶすことで側圧損失を低減し、かつ保護チューブと凹治具の接触する距離を長くすることで、高い光の入出力効率を得ることとした。
【００１１】
具体的には、本発明に係る第１の光ファイバ側方入出力装置は、
空隙を挟んで保護チューブが心線を覆う構造のチューブ付き光ファイバに対して長手方向に湾曲する凹部、及び曲げが与えられた前記チューブ付き光ファイバの前記心線に対して光を入出力するプローブ光ファイバを保持する保持部を有する第１治具と、
前記チューブ付き光ファイバに形成される前記曲げの頂点となる部分のみに接触する凸部を有する第２治具と、
前記チューブ付き光ファイバのうち、前記チューブ付き光ファイバと前記プローブ光ファイバとの間で入出力する前記光の経路上の領域の前記第１治具と反対側に接触する抑え治具と、
前記第１治具の凹部と前記第２治具の凸部との最近接距離ＳがＳ＞０となるように前記第１治具の凹部と前記第２治具の凸部とが近づく方向に押圧力を印加し、前記チューブ付き光ファイバに前記曲げを形成する第１押圧部と、
前記第１治具の凹部と前記抑え治具との最近接距離ＵがＤ＞Ｕ＞Ｓ（Ｄは押しつぶす前の前記保護チューブの直径）となるように前記第１治具の凹部と前記抑え治具とが近づく方向に押圧力を印加する第２押圧部と、
を備える。
【００１２】
また、本発明に係る第２の光ファイバ側方入出力装置は、
空隙を挟んで保護チューブが心線を覆う構造のチューブ付き光ファイバに対して長手方向に湾曲する凹部、及び曲げが与えられた前記チューブ付き光ファイバの前記心線に対して光を入出力するプローブ光ファイバを保持する保持部を有する第１治具と、
前記チューブ付き光ファイバに形成される前記曲げの頂点となる部分に接触する凸部、及び前記チューブ付き光ファイバのうち、前記チューブ付き光ファイバと前記プローブ光ファイバとの間で入出力する前記光の経路上の領域の前記第１治具と反対側に接触する抑え部を有する第２治具と、
前記第１治具の凹部と前記第２治具の凸部との最近接距離ＳがＳ＞０となるように、且つ前記第１治具の凹部と前記第２治具の抑え部との最近接距離ＵがＤ＞Ｕ＞Ｓ（Ｄは押しつぶす前の前記保護チューブの直径）となるように前記第１治具の凹部と前記第２治具の凸部とが近づく方向に押圧力を印加し、前記チューブ付き光ファイバに前記曲げを形成する押圧部と、
を備える。
【００１３】
さらに、本発明に係る曲げ付与方法は、
空隙を挟んで保護チューブが心線を覆う構造のチューブ付き光ファイバに対して長手方向に湾曲する凹部、及び曲げが与えられた前記チューブ付き光ファイバの前記心線に対して光を入出力するプローブ光ファイバを保持する保持部を有する第１治具と、
前記チューブ付き光ファイバに形成される前記曲げの頂点となる部分のみに接触する凸部を有する第２治具と、
を備える光ファイバ側方入出力装置を用いて前記チューブ付き光ファイバに曲げを与える曲げ付与方法であって、
前記第１治具の凹部と前記第２治具の凸部との最近接距離ＳがＳ＞０となるように前記第１治具の凹部と前記第２治具の凸部とが近づく方向に押圧力を印加し、前記チューブ付き光ファイバに前記曲げを形成するとともに、
前記チューブ付き光ファイバのうち、前記チューブ付き光ファイバと前記プローブ光ファイバとの間で入出力する前記光の経路上の領域の前記第１治具と反対側を抑え部で抑え、前記第１治具の凹部と前記抑え部との最近接距離ＵがＤ＞Ｕ＞Ｓ（Ｄは押しつぶす前の前記保護チューブの直径）となるように、前記チューブ付き光ファイバを前記第１治具の凹部に密着させる、
ことを特徴とする。
【００１４】
本光ファイバ側方入出力装置は、第２治具を用いてチューブ付き光ファイバに曲げを形成する他に、抑え治具ないし抑え部を用いてチューブ付き光ファイバを領域Ａに密着させている。このため、チューブ付き光ファイバの光の入出力効率が向上する。また、抑え治具の押圧力ないし抑え部を有する第２治具の押圧力を調整することでチューブ付き光ファイバへの側圧による損失も低減できる。
【００１５】
従って、本発明は、チューブ付き光ファイバに曲げを形成して曲げ部からプローブを用いて光を入出力するときに、側圧損失の低減と光の入出力効率の向上を両立可能な光ファイバ側方入出力装置及び曲げ付与方法を提供することができる。
【００１６】
本発明に係る光ファイバ側方入出力装置の前記抑え治具の先端は楔形であり、前記チューブ付き光ファイバに接する面と押圧力の方向と成す角φがφ≦θ／２であることを特徴とする。また、前記第２治具の抑え部は、前記チューブ付き光ファイバに接する面と押圧力の方向と成す角φがφ≦θ／２であることを特徴とする。ただし、θは、前記第１治具と前記第２治具で前記チューブ付き光ファイバに与えられる曲げ角度である。
【００１７】
本発明に係る光ファイバ側方入出力装置の前記第２治具の前記凸部は、先端形状が円筒の側面の一部であり、前記円筒の母線が前記押圧力が印可される方向と前記チューブ付き光ファイバの長手方向とに垂直であり、
前記円筒の側面の半径ｒは
ｒ≦Ｒ−ｄ−２ｔ
を満たすことを特徴とする。ただし、ｄは前記チューブ付き光ファイバの前記心線の直径、ｔは前記チューブの厚み、Ｒは前記第１治具の前記凹部の曲率半径である。
【発明の効果】
【００１８】
本発明は、チューブ付き光ファイバに曲げを形成して曲げ部からプローブを用いて光を入出力するときに、側圧損失の低減と光の入出力効率の向上を両立可能な光ファイバ側方入出力装置及び曲げ付与方法を提供することができる。
【図面の簡単な説明】
【００１９】
【図１】チューブ付き光ファイバの断面を説明する図である。
【図２】チューブ付き光ファイバの課題を説明する図である。
【図３】従来の光ファイバ側方入出力装置を説明する図である。
【図４】本発明に係る第１の光ファイバ側方入出力装置を説明する図である。
【図５】本発明に係る第１の光ファイバ側方入出力装置の第２治具を説明する図である。
【図６】本発明に係る第２の光ファイバ側方入出力装置を説明する図である。
【図７】本発明に係る光ファイバ側方入出力装置の効果を説明する図である。
【図８】本発明に係る光ファイバ側方入出力装置の効果を説明する図である。
【発明を実施するための形態】
【００２０】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２１】
（実施形態１）
図４は、本実施形態の光ファイバ側方入出力装置３０１の概要を説明する図である。光ファイバ側方入出力装置３０１は、
空隙を挟んで保護チューブ３２が心線３１を覆う構造のチューブ付き光ファイバ１０１に対して長手方向に湾曲する凹部２１、及び曲げが与えられたチューブ付き光ファイバ１０１の心線３１に対して光を入出力するプローブ光ファイバ５０を保持する保持部５１を有する第１治具１１と、
チューブ付き光ファイバ１０１に形成される前記曲げの頂点となる部分のみに接触する凸部２２を有する第２治具１２と、
チューブ付き光ファイバ１０１のうち、チューブ付き光ファイバ１０１とプローブ光ファイバ５０との間で入出力する前記光の経路上の領域Ａの第１治具１１と反対側に接触する抑え治具１３と、
第１治具１１の凹部２１と第２治具１２の凸部２２との最近接距離ＳがＳ＞０となるように第１治具１１の凹部２１と第２治具１２の凸部２２とが近づく方向に押圧力を印加し、チューブ付き光ファイバ１０１に前記曲げを形成する第１押圧部１４と、
第１治具１１の凹部２１と抑え治具１３との最近接距離ＵがＤ＞Ｕ＞Ｓ（Ｄは押しつぶす前の保護チューブ３２の直径）となるように第１治具１１の凹部２１と抑え治具１３とが近づく方向に押圧力を印加する第２押圧部１５と、
を備える。
図４は、曲げを付与されたチューブ付き光ファイバ１０１の様子であり、押圧力で第２治具１２と抑え治具１３とを第１治具１１の方向へ押し、保護チューブ３２を押しつぶした後の状態を説明している。
【００２２】
第１押圧部１４は、曲げ開放時と曲げ付与時とを切り替える機能を有し、曲げ付与時には第１冶具１１と第２冶具１２との距離を所定量Ｓとなるようにチューブ付き光ファイバ１０１に押圧力を付与する。
第２押圧部１５は、第１冶具１１と抑え冶具１３との距離を所定量Ｓより大きい距離Ｕとなるようにチューブ付き光ファイバ１０１に押圧力を付与する。距離Ｕを所定量Ｓより大きく、押しつぶす前の保護チューブ３２の直径Ｄより小さくすることで、光ファイバ心線３１と保護チューブ３２とが接触させないようにしている。
【００２３】
このような設計とすることで、図４のように、第１治具１１と第２治具１２でチューブ付き光ファイバ１０１に曲げを形成する際に、形成する曲げの頂点付近の保護チューブ３２だけでなく、抑え冶具１３で領域Ａ方向へも保護チューブ３２を押しつぶし、凹部２１と保護チューブ３２とを十分に接触させることができる。そして、第１冶具１１と抑え冶具１３との距離をＵとすることで、光ファイバ心線３１と保護チューブ３２とが接触しない程度に押しつぶすことができ、光ファイバ心線３１への側圧を防止できる。
【００２４】
図５は、第２治具１２を説明する図である。図５（Ａ）は上面図、図５（Ｂ）は側面図、図５（Ｃ）は斜視図である。第２治具１２は、凸部２２の先端形状が円筒の側面の一部であり、前記円筒の母線が前記押圧力が印可される方向（Ｚ方向）とチューブ付き光ファイバ１０１の長手方向（Ｘ方向）とに垂直（Ｙ方向）である。
ここで、凸部２２の前記円筒の側面の半径ｒは、ｒ≦Ｒ−ｄ−２ｔを満たす。ただし、ｄは心線３１の直径、ｔは保護チューブ３２の厚み、Ｒは第１治具１１の凹部２１の曲率半径である。
【００２５】
抑え治具１３の先端は楔形であり、チューブ付き光ファイバ１０１に接する面と押圧力の方向と成す角φがφ≦θ／２であることが好ましい。ただし、θは、第１治具１１と第２治具１２でチューブ付き光ファイバ１０１に与える曲げ角度である。
【００２６】
（実施形態２）
図６は、本実施形態の光ファイバ側方入出力装置３０２の概要を説明する図である。光ファイバ側方入出力装置３０２は、
空隙を挟んで保護チューブ３２が心線３１を覆う構造のチューブ付き光ファイバ１０１に対して長手方向に湾曲する凹部２１、及び曲げが与えられたチューブ付き光ファイバ１０１の心線３１に対して光を入出力するプローブ光ファイバ５０を保持する保持部５１を有する第１治具１１と、
チューブ付き光ファイバ１０１に形成される前記曲げの頂点となる部分に接触する凸部２２、及びチューブ付き光ファイバ１０１のうち、チューブ付き光ファイバ１０１とプローブ光ファイバ５０との間で入出力する前記光の経路上の領域Ａの第１治具１１と反対側に接触する抑え部２３を有する第２治具１２ａと、
第１治具１１の凹部２１と第２治具１２ａの凸部２２との最近接距離ＳがＳ＞０となるように、且つ第１治具１１の凹部２１と第２治具１２ａの抑え部２３との最近接距離ＵがＤ＞Ｕ＞Ｓ（Ｄは押しつぶす前の保護チューブ３２の直径）となるように第１治具１１の凹部２１と第２治具１２ａの凸部２２とが近づく方向に押圧力を印加し、チューブ付き光ファイバ１０１に前記曲げを形成する押圧部１４ａと、
を備える。
図６は、曲げを付与されたチューブ付き光ファイバ１０１の様子であり、押圧力で第２治具１２ａを第１治具１１の方向へ押し、保護チューブ３２を押しつぶした後の状態を説明している。
【００２７】
本実施形態の第２治具１２ａは、実施形態１で説明した第２治具１２と抑え治具１３とを一体化した構造である。このため、押圧力を発生させる押圧部も一つである。つまり、押圧部１４ａは、曲げ開放時と曲げ付与時とを切り替える機能を有し、曲げ付与時には第１冶具１１と第２冶具１２との距離を所定量Ｓとなるように、且つ第１冶具１１と抑え部２３との距離を所定量Ｓより大きい距離Ｕとなるようにチューブ付き光ファイバ１０１に押圧力を付与する。なお、凸部２２の半径ｒ、曲げ角度θ、角φ、距離Ｓ、及び距離Ｕは実施形態１の説明と同じである。また、図６の光ファイバ側方入出力装置３０２は、チューブ付き光ファイバ１０１の長手方向において凸部２２の両側に抑え部２３を配置するが、抑え部２３が領域Ａ側だけでもよい。
【００２８】
光ファイバ側方入出力装置３０２は、凸部２２と抑え部２３を一体化した第２治具１２ａを備えるので、押圧部が一つですみ、実施形態１の光ファイバ側方入出力装置３０１と比べて構造が簡易となり好ましい。
【００２９】
（実施例）
実施形態１の光ファイバ側方入出力装置３０１又は実施形態２の光ファイバ側方入出力装置３０２とを用いて、次のようにチューブ付き光ファイバ１０１に曲げを与えた。
まず、第１治具１１の凹部２１と第２治具１２の凸部２２との最近接距離ＳがＳ＞０となるように第１治具１１の凹部２１と第２治具１２の凸部２２とが近づく方向に押圧力を印加し、チューブ付き光ファイバ１０１に曲げを形成する。
そして、チューブ付き光ファイバ１０１のうち、チューブ付き光ファイバ１０１とプローブ光ファイバ５０との間で入出力する前記光の経路上の領域Ａの第１治具１１と反対側を抑え治具１３（抑え部２３）で抑え、第１治具１１の凹部２１と抑え治具１３（抑え部２３）との最近接距離ＵがＤ＞Ｕ＞Ｓとなるように、チューブ付き光ファイバ１０１を第１治具１１の凹部２１に密着させる。
【００３０】
光ファイバ側方入出力装置３０１又は光ファイバ側方入出力装置３０２とを用いて曲げを与えたチューブ付き光ファイバ１０１と、図３で説明した光ファイバ側方入出力装置３００を用いて曲げを与えたチューブ付き光ファイバ１０１とで、曲げ損失及び出力効率を比較した。
【００３１】
評価条件は次の通りである。
・プローブ光ファイバ５０：先端にＧＲＩＮレンズが接続されたダブルクラッドファイバ（非特許文献２を参照）
・チューブ直径：０．９ｍｍ
・チューブ厚みｔ：０．２８ｍｍ
・光ファイバ心線の直径ｄ：０．２５ｍｍ
・凹曲面の曲率半径R：２．１２５ｍｍ
・凹冶具の曲げ角度θ：１７０度
・凸曲面の曲率半径ｒ：１．０ｍｍ
・抑え冶具の角度φ：８０度
【００３２】
図７は、曲げ損失を比較した図であり、図８は、出力効率を比較した図である。いずれも、測定結果は５回の平均値である。使用波長は、曲げ損失の測定では１５５０ｎｍ、出力効率の測定では１３１０ｎｍである。図７と図８より、本実施形態の光ファイバ側方入出力装置３０１又は光ファイバ側方入出力装置３０２は従来の光ファイバ側方入出力装置３００と比較して、曲げ損失が低いにもかかわらず出力効率が６．６ｄＢ以上向上していることがわかる。すなわち、抑え治具１３又は抑え部２３がチューブ付き光ファイバ１０１を領域Ａに押さえつけたことにより出力効率が向上し、その押圧力を適切に設定することで心線３１への側圧を低減して損失も低減できた。
【符号の説明】
【００３３】
１１：第1治具
１２、１２ａ：第２治具
１３：抑え治具
１４：第１押圧部
１４ａ：押圧部
１５：第２押圧部
２１：凹部
２２：凸部
２３：抑え部
３１：心線
３２：保護チューブ
５０：プローブ光ファイバ
５１：保持部
５５：光ファイバ
１０１：チューブ付き光ファイバ
３００、３０１、３０２：光ファイバ側方入出力装置
【図１】
2019070740.tif 000003
【図２】
2019070740.tif 000004
【図３】
2019070740.tif 000005
【図４】
2019070740.tif 000006
【図５】
2019070740.tif 000007
【図６】
2019070740.tif 000008
【図７】
2019070740.tif 000009
【図８】
2019070740.tif 000010